(57)【特許請求の範囲】
【請求項１】
人工透析治療中の透析患者の下肢の動作を検出する動作検出部と、
前記透析患者の頭部に装着するヘッドマウントディスプレイと、
検出した前記透析患者の下肢の動作に応じて動作する患者アバターを仮想空間内に生成し、前記患者アバターの視界を前記ヘッドマウントディスプレイに表示させる表示制御部と、
を備え、
前記透析患者の、透析治療の残り時間に応じて、前記ヘッドマウントディスプレイにおける表示を制御する透析患者運動支援システム。
【請求項２】
人工透析治療中の透析患者の下肢の動作を検出する動作検出部と、
前記透析患者の頭部に装着するヘッドマウントディスプレイと、
検出した前記透析患者の下肢の動作に応じて動作する患者アバターを仮想空間内に生成し、前記患者アバターの視界を前記ヘッドマウントディスプレイに表示させる表示制御部と、
を備え、
前記表示制御部は、
検出した前記透析患者の下肢の動作に応じて移動する仮想的乗り物オブジェクトを前記仮想空間内に生成し、前記仮想的乗り物オブジェクトに乗っている前記患者アバターから見た景色を、前記ヘッドマウントディスプレイに表示させ、
前記透析患者の、透析治療の残り時間に応じた速度で、前記仮想的乗り物オブジェクトを前記仮想空間内で移動させる透析患者運動支援システム。
【請求項３】
人工透析治療中の透析患者の下肢の動作を検出する動作検出部と、
前記透析患者の頭部に装着するヘッドマウントディスプレイと、
検出した前記透析患者の下肢の動作に応じて動作する患者アバターを仮想空間内に生成し、前記患者アバターの視界を前記ヘッドマウントディスプレイに表示させる表示制御部と、
を備え、
前記ヘッドマウントディスプレイは、外部を撮像する撮像部を備え、
前記表示制御部は、前記ヘッドマウントディスプレイが、前記透析患者の下肢方向を正面として、所定角度以上、左または右に向いた場合には、前記仮想空間の表示を中止して、前記ヘッドマウントディスプレイに前記撮像部で撮像された外部の映像を表示させる透析患者運動支援システム。
【請求項４】
前記表示制御部は、前記ヘッドマウントディスプレイに前記撮像部で撮像された外部の映像を表示させた状態で、前記ヘッドマウントディスプレイが、所定時間以上、前記透析患者の下肢方向に向いた場合に、前記仮想空間の表示を再開させる請求項３に記載の透析患者運動支援システム。
【請求項５】
前記表示制御部は、前記仮想空間内に仮想的なボールオブジェクトを生成し、
前記動作検出部で検出した前記下肢の動きに応じて、前記仮想空間内の下肢オブジェクトを動かすことにより、前記ボールオブジェクトのリフティング動作を疑似体験させる請求項１乃至４のいずれか１項に記載の透析患者運動支援システム。
【請求項６】
他の前記透析患者運動支援システムとの通信を行う通信部をさらに備え、
前記表示制御部は、前記通信部を介して、他の透析患者との間で前記仮想空間を共有し、前記仮想空間内の同じ前記ボールオブジェクトを互いにパスしあう画像を、前記ヘッドマウントディスプレイに表示させる請求項５に記載の透析患者運動支援システム。
【請求項７】
人工透析治療中の透析患者の下肢の動作を検出する動作検出部と、
検出した前記透析患者の下肢の動作に応じて動作する患者アバターを仮想空間内に生成し、前記患者アバターの視界を前記透析患者が装着したヘッドマウントディスプレイに表示させる表示制御部と、
を備え、
前記表示制御部は、前記透析患者の、透析治療の残り時間に応じて、前記ヘッドマウントディスプレイにおける表示を制御する透析患者運動支援装置。
【請求項８】
人工透析治療中の透析患者の下肢の動作を検出する動作検出部と、
検出した前記透析患者の下肢の動作に応じて動作する患者アバターを仮想空間内に生成し、前記患者アバターの視界をヘッドマウントディスプレイに表示させる表示制御部と、
を備え、
前記表示制御部は、
検出した前記透析患者の下肢の動作に応じて移動する仮想的乗り物オブジェクトを前記仮想空間内に生成し、前記仮想的乗り物オブジェクトに乗っている前記患者アバターから見た景色を、前記ヘッドマウントディスプレイに表示させ、
前記透析患者の、透析治療の残り時間に応じた速度で、前記仮想的乗り物オブジェクトを前記仮想空間内で移動させる透析患者運動支援装置。
【請求項９】
人工透析治療中の透析患者の下肢の動作を検出する動作検出部と、
検出した前記透析患者の下肢の動作に応じて動作する患者アバターを仮想空間内に生成し、前記患者アバターの視界を前記ヘッドマウントディスプレイに表示させる表示制御部と、
を備え、
前記表示制御部は、前記ヘッドマウントディスプレイが、前記透析患者の下肢方向を正面として、所定角度以上、左または右に向いた場合には、前記仮想空間の表示を中止して、前記ヘッドマウントディスプレイに設けられた撮像部で撮影された外部の映像を表示する透析患者運動支援装置。
【請求項１０】
検出部が、人工透析治療中の透析患者の下肢の動作を検出する動作検出ステップと、
表示制御部が、検出した前記透析患者の下肢の動作に応じて動作する患者アバターを仮想空間内に生成し、前記患者アバターの視界を前記透析患者が装着したヘッドマウントディスプレイに表示させる表示制御ステップと、
を含み、
前記表示制御ステップにおいて、前記透析患者の、透析治療の残り時間に応じて、前記ヘッドマウントディスプレイにおける表示を制御する透析患者運動支援方法。
【請求項１１】
検出部が、人工透析治療中の透析患者の下肢の動作を検出する動作検出ステップと、
表示制御部が、検出した前記透析患者の下肢の動作に応じて動作する患者アバターを仮想空間内に生成し、前記患者アバターの視界を前記透析患者が装着したヘッドマウントディスプレイに表示させる表示制御ステップと、
を含み、
前記表示制御ステップにおいて、前記表示制御部が、
検出した前記透析患者の下肢の動作に応じて移動する仮想的乗り物オブジェクトを前記仮想空間内に生成し、前記仮想的乗り物オブジェクトに乗っている前記患者アバターから見た景色を、前記ヘッドマウントディスプレイに表示させ、
前記透析患者の、透析治療の残り時間に応じた速度で、前記仮想的乗り物オブジェクトを前記仮想空間内で移動させる透析患者運動支援方法。
【請求項１２】
検出部が、人工透析治療中の透析患者の下肢の動作を検出する動作検出ステップと、
表示制御部が、検出した前記透析患者の下肢の動作に応じて動作する患者アバターを仮想空間内に生成し、前記患者アバターの視界を前記透析患者が装着したヘッドマウントディスプレイに表示させる表示制御ステップと、
を含み、
前記表示制御ステップにおいて、前記ヘッドマウントディスプレイが、前記透析患者の下肢方向を正面として、所定角度以上、左または右に向いた場合には、前記仮想空間の表示を中止して、前記ヘッドマウントディスプレイに設けられた撮像部で撮影された外部の映像を表示させる透析患者運動支援方法。
【請求項１３】
人工透析治療中の透析患者の下肢の動作を検出する動作検出ステップと、
検出した前記透析患者の下肢の動作に応じて動作する患者アバターを仮想空間内に生成し、前記患者アバターの視界を前記透析患者が装着したヘッドマウントディスプレイに表示させる表示制御ステップと、
をコンピュータに実行させる透析患者運動支援プログラムであって、
前記表示制御ステップにおいて、前記透析患者の、透析治療の残り時間に応じて、前記ヘッドマウントディスプレイにおける表示を制御する透析患者運動支援プログラム。
【請求項１４】
人工透析治療中の透析患者の下肢の動作を検出する動作検出ステップと、
検出した前記透析患者の下肢の動作に応じて動作する患者アバターを仮想空間内に生成し、前記患者アバターの視界を前記透析患者が装着したヘッドマウントディスプレイに表示させる表示制御ステップと、
をコンピュータに実行させる透析患者運動支援プログラムであって、
前記表示制御ステップにおいて、
検出した前記透析患者の下肢の動作に応じて移動する仮想的乗り物オブジェクトを前記仮想空間内に生成し、前記仮想的乗り物オブジェクトに乗っている前記患者アバターから見た景色を、前記ヘッドマウントディスプレイに表示させ、
前記透析患者の、透析治療の残り時間に応じた速度で、前記仮想的乗り物オブジェクトを前記仮想空間内で移動させる透析患者運動支援プログラム。
【請求項１５】
人工透析治療中の透析患者の下肢の動作を検出する動作検出ステップと、
検出した前記透析患者の下肢の動作に応じて動作する患者アバターを仮想空間内に生成し、前記患者アバターの視界を前記透析患者が装着したヘッドマウントディスプレイに表示させる表示制御ステップと、
をコンピュータに実行させる透析患者運動支援プログラムであって、
前記表示制御ステップにおいて、前記ヘッドマウントディスプレイが、前記透析患者の下肢方向を正面として、所定角度以上、左または右に向いた場合には、前記仮想空間の表示を中止して、前記ヘッドマウントディスプレイに設けられた撮像部で撮影された外部の映像を表示させる透析患者運動支援プログラム。
【発明の詳細な説明】
【技術分野】
【０００１】
本発明は、透析患者運動支援システムおよび透析患者運動支援装置ならびにその方法およびプログラムに関する。
【背景技術】
【０００２】
上記技術分野において、特許文献１、２には、ベッドに寝ておらざるを得ない患者が早期リハビリを行い、早期離床のため、使用者の感覚を統合して仮想環境を提示し、使用者の運動に合わせて提示する仮想環境を制御する技術が開示されている。
【先行技術文献】
【特許文献】
【０００３】
【特許文献１】特開平８−２８０７６２号公報
【特許文献２】特開平１０−１５１１６２号公報
【発明の概要】
【発明が解決しようとする課題】
【０００４】
しかしながら、上記文献に記載の技術は、透析患者に特化したものではなく、透析患者の運動を安全に支援できる構成になっていなかった。
【０００５】
本発明の目的は、上述の課題を解決する技術を提供することにある。
【課題を解決するための手段】
【０００６】
上記目的を達成するため、本発明に係るシステムは、
人工透析治療中の透析患者の下肢の動作を検出する動作検出部と、
前記透析患者の頭部に装着するヘッドマウントディスプレイと、
検出した前記透析患者の下肢の動作に応じて動作する患者アバターを仮想空間内に生成し、前記患者アバターの視界を前記ヘッドマウントディスプレイに表示させる表示制御部と、
を備え、
前記透析患者の、透析治療の残り時間に応じて、前記ヘッドマウントディスプレイにおける表示を制御する透析患者運動支援システムである。
上記目的を達成するため、本発明に係る他のシステムは、
人工透析治療中の透析患者の下肢の動作を検出する動作検出部と、
前記透析患者の頭部に装着するヘッドマウントディスプレイと、
検出した前記透析患者の下肢の動作に応じて動作する患者アバターを仮想空間内に生成し、前記患者アバターの視界を前記ヘッドマウントディスプレイに表示させる表示制御部と、
を備え、
前記表示制御部は、
検出した前記透析患者の下肢の動作に応じて移動する仮想的乗り物オブジェクトを前記仮想空間内に生成し、前記仮想的乗り物オブジェクトに乗っている前記患者アバターから見た景色を、前記ヘッドマウントディスプレイに表示させ、
前記透析患者の、透析治療の残り時間に応じた速度で、前記仮想的乗り物オブジェクトを前記仮想空間内で移動させる透析患者運動支援システムである。
上記目的を達成するため、本発明に係るさらに他のシステムは、
人工透析治療中の透析患者の下肢の動作を検出する動作検出部と、
前記透析患者の頭部に装着するヘッドマウントディスプレイと、
検出した前記透析患者の下肢の動作に応じて動作する患者アバターを仮想空間内に生成し、前記患者アバターの視界を前記ヘッドマウントディスプレイに表示させる表示制御部と、
を備え、
前記ヘッドマウントディスプレイは、外部を撮像する撮像部を備え、
前記表示制御部は、前記ヘッドマウントディスプレイが、前記透析患者の下肢方向を正面として、所定角度以上、左または右に向いた場合には、前記仮想空間の表示を中止して、前記ヘッドマウントディスプレイに前記撮像部で撮像された外部の映像を表示させる透析患者運動支援システムである。
【０００７】
上記目的を達成するため、本発明に係る装置は、
人工透析治療中の透析患者の下肢の動作を検出する動作検出部と、
検出した前記透析患者の下肢の動作に応じて動作する患者アバターを仮想空間内に生成し、前記患者アバターの視界を前記透析患者が装着したヘッドマウントディスプレイに表示させる表示制御部と、
を備え、
前記表示制御部は、前記透析患者の、透析治療の残り時間に応じて、前記ヘッドマウントディスプレイにおける表示を制御する透析患者運動支援装置である。
上記目的を達成するため、本発明に係る他の装置は、
人工透析治療中の透析患者の下肢の動作を検出する動作検出部と、
検出した前記透析患者の下肢の動作に応じて動作する患者アバターを仮想空間内に生成し、前記患者アバターの視界をヘッドマウントディスプレイに表示させる表示制御部と、
を備え、
前記表示制御部は、
検出した前記透析患者の下肢の動作に応じて移動する仮想的乗り物オブジェクトを前記仮想空間内に生成し、前記仮想的乗り物オブジェクトに乗っている前記患者アバターから見た景色を、前記ヘッドマウントディスプレイに表示させ、
前記透析患者の、透析治療の残り時間に応じた速度で、前記仮想的乗り物オブジェクトを前記仮想空間内で移動させる透析患者運動支援装置である。
上記目的を達成するため、本発明に係るさらに他の装置は、
人工透析治療中の透析患者の下肢の動作を検出する動作検出部と、
検出した前記透析患者の下肢の動作に応じて動作する患者アバターを仮想空間内に生成し、前記患者アバターの視界を前記ヘッドマウントディスプレイに表示させる表示制御部と、
を備え、
前記表示制御部は、前記ヘッドマウントディスプレイが、前記透析患者の下肢方向を正面として、所定角度以上、左または右に向いた場合には、前記仮想空間の表示を中止して、前記ヘッドマウントディスプレイに設けられた撮像部で撮影された外部の映像を表示させる透析患者運動支援装置である。
【０００８】
上記目的を達成するため、本発明に係る方法は、
検出部が、人工透析治療中の透析患者の下肢の動作を検出する動作検出ステップと、
表示制御部が、検出した前記透析患者の下肢の動作に応じて動作する患者アバターを仮想空間内に生成し、前記患者アバターの視界を前記透析患者が装着したヘッドマウントディスプレイに表示させる表示制御ステップと、
を含み、
前記表示制御ステップにおいて、前記透析患者の、透析治療の残り時間に応じて、前記ヘッドマウントディスプレイにおける表示を制御する透析患者運動支援方法である。
上記目的を達成するため、本発明に係る他の方法は、
検出部が、人工透析治療中の透析患者の下肢の動作を検出する動作検出ステップと、
表示制御部が、検出した前記透析患者の下肢の動作に応じて動作する患者アバターを仮想空間内に生成し、前記患者アバターの視界を前記透析患者が装着したヘッドマウントディスプレイに表示させる表示制御ステップと、
を含み、
前記表示制御ステップにおいて、前記表示制御部が、
検出した前記透析患者の下肢の動作に応じて移動する仮想的乗り物オブジェクトを前記仮想空間内に生成し、前記仮想的乗り物オブジェクトに乗っている前記患者アバターから見た景色を、前記ヘッドマウントディスプレイに表示させ、
前記透析患者の、透析治療の残り時間に応じた速度で、前記仮想的乗り物オブジェクトを前記仮想空間内で移動させる透析患者運動支援方法である。
上記目的を達成するため、本発明に係るさらに他の方法は、
検出部が、人工透析治療中の透析患者の下肢の動作を検出する動作検出ステップと、
表示制御部が、検出した前記透析患者の下肢の動作に応じて動作する患者アバターを仮想空間内に生成し、前記患者アバターの視界を前記透析患者が装着したヘッドマウントディスプレイに表示させる表示制御ステップと、
を含み、
前記表示制御ステップにおいて、前記ヘッドマウントディスプレイが、前記透析患者の下肢方向を正面として、所定角度以上、左または右に向いた場合には、前記仮想空間の表示を中止して、前記ヘッドマウントディスプレイに設けられた撮像部で撮影された外部の映像を表示させる透析患者運動支援方法である。
【０００９】
上記目的を達成するため、本発明に係るプログラムは、
人工透析治療中の透析患者の下肢の動作を検出する動作検出ステップと、
検出した前記透析患者の下肢の動作に応じて動作する患者アバターを仮想空間内に生成し、前記患者アバターの視界を前記透析患者が装着したヘッドマウントディスプレイに表示させる表示制御ステップと、
をコンピュータに実行させる透析患者運動支援プログラムであって、
前記表示制御ステップにおいて、前記透析患者の、透析治療の残り時間に応じて、前記ヘッドマウントディスプレイにおける表示を制御する透析患者運動支援プログラムである。
上記目的を達成するため、本発明に係る他のプログラムは、
人工透析治療中の透析患者の下肢の動作を検出する動作検出ステップと、
検出した前記透析患者の下肢の動作に応じて動作する患者アバターを仮想空間内に生成し、前記患者アバターの視界を前記透析患者が装着したヘッドマウントディスプレイに表示させる表示制御ステップと、
をコンピュータに実行させる透析患者運動支援プログラムであって、
前記表示制御ステップにおいて、
検出した前記透析患者の下肢の動作に応じて移動する仮想的乗り物オブジェクトを前記仮想空間内に生成し、前記仮想的乗り物オブジェクトに乗っている前記患者アバターから見た景色を、前記ヘッドマウントディスプレイに表示させ、
前記透析患者の、透析治療の残り時間に応じた速度で、前記仮想的乗り物オブジェクトを前記仮想空間内で移動させる透析患者運動支援プログラムである。
上記目的を達成するため、本発明に係るさらに他のプログラムは、
人工透析治療中の透析患者の下肢の動作を検出する動作検出ステップと、
検出した前記透析患者の下肢の動作に応じて動作する患者アバターを仮想空間内に生成し、前記患者アバターの視界を前記透析患者が装着したヘッドマウントディスプレイに表示させる表示制御ステップと、
をコンピュータに実行させる透析患者運動支援プログラムであって、
前記表示制御ステップにおいて、前記ヘッドマウントディスプレイが、前記透析患者の下肢方向を正面として、所定角度以上、左または右に向いた場合には、前記仮想空間の表示を中止して、前記ヘッドマウントディスプレイに設けられた撮像部で撮影された外部の映像を表示させる透析患者運動支援プログラムである。
【発明の効果】
【００１０】
本発明によれば、人工透析治療中の患者の運動を安全に支援できる。
【図面の簡単な説明】
【００１１】
【図１】本発明の第１実施形態に係る透析患者運動支援システムの構成を示すブロック図である。
【図２】本発明の第１実施形態に係る透析患者運動支援システムの処理の流れを説明するフローチャートである。
【図３】本発明の第１実施形態に係る透析患者運動支援システムの処理の流れを説明するフローチャートである。
【図４】本発明の第２実施形態に係る透析患者運動支援システムの構成を示すブロック図である。
【発明を実施するための形態】
【００１２】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１３】
［第１実施形態］
本発明の第１実施形態としての透析患者運動支援システム１００について、図１を用いて説明する。透析患者運動支援システム１００は、動作検出部としてのセンサ１０１とヘッドマウントディスプレイ１０２と表示制御部１０３とを含むシステムである。
【００１４】
センサ１０１は、透析装置１１０を用いた人工透析治療中の透析患者１３０の下肢の動作を検出し、Bluetooth（登録商標）などの通信技術で、表示制御部１０３に、その動作信号を送信する。透析患者１３０は、ベッド１２０上において、仰臥位、半坐位、または坐位の姿勢を取った状態で透析治療にあたるが、その透析患者１３０の下肢１３１に取り付けられたセンサ１０１により、下肢１３１の動き（例えば加速度）を検出する。
【００１５】
ヘッドマウントディスプレイ１０２は、透析装置１１０を用いた人工透析治療中の透析患者１３０の頭部１３２に装着され、透析患者１３０に対して、仮想空間１４０を表わす３Ｄ映像を提供する。
【００１６】
表示制御部１０３は、センサ１０１が検出した透析患者の下肢１３１の動作に関する信号を受取り、その下肢の動作に応じて動作する患者アバター１４１を仮想空間内に生成し、患者アバター１４１からの視界をヘッドマウントディスプレイ１０２に表示させる。
【００１７】
表示制御部１０３は、仮想空間１４０内に仮想的なボールオブジェクト１４２を生成する。そして、表示制御部１０３は、センサ１０１を用いて検出した下肢１３１の動きに応じて、仮想空間１４０内の患者アバター１４１の下肢オブジェクトを動かすことにより、ボールオブジェクト１４２のリフティング動作を疑似体験させる。
【００１８】
また、透析患者運動支援システム１００は、他の前記透析患者運動支援システムとの通信を行う通信部１０４とを備えている。表示制御部１０３は、通信部１０４およびネットワーク１５０を介して、他の透析患者との間で仮想空間１４０を共有し、仮想空間１４０内の同じボールオブジェクト１４２を互いにパスしあうことを実現する。
【００１９】
表示制御部１０３は、透析患者１３０の、透析治療の残り時間に応じて、ヘッドマウントディスプレイ１０２における表示を制御してもよい。例えば、透析治療の残り時間を表示したり、透析治療の終了時間に合わせてボールオブジェクト１４２の数や落下速度を変えてもよい。
【００２０】
ヘッドマウントディスプレイ１０２は、外部を撮像する撮像部としてのカメラ１２１を備える。
【００２１】
表示制御部１０３は、ヘッドマウントディスプレイ１０２が、透析患者１３０の下肢１３１方向を正面として、所定角度以上、左または右に向いた場合には、仮想空間１４０の表示を中止させる。その後、表示制御部１０３は、ヘッドマウントディスプレイ１０２にカメラ１２１で撮像された外部の映像を表示させる。表示制御部１０３は、ヘッドマウントディスプレイ１０２にカメラ１２１で撮像された外部の映像を表示させた状態で、ヘッドマウントディスプレイ１０２が、所定時間以上、透析患者の下肢１３１方向に向いた場合に、仮想空間１４０の表示を再開させる。
【００２２】
図２は、透析患者運動支援システム１００でリフティングの疑似体験を行なう処理の流れを示すフローチャートである。まず、ステップＳ２０１において、アプリケーションを実行すると、ステップＳ２０２において仮想空間１４０内に下肢モデルの患者アバター１４１を生成し、ヘッドマウントディスプレイ１０２に表示させる。
【００２３】
次に、ステップＳ２０３において、仮想空間１４０内に、ボールオブジェクト１４２を生成し、ヘッドマウントディスプレイ１０２に表示させる。
【００２４】
さらに、ステップＳ２０４において、センサ１０１から受け取った動作検出信号（例えば加速度信号）に応じて、患者アバター１４１を仮想空間１４０内で動かす。
【００２５】
次にステップＳ２０５において、患者アバター１４１とボールオブジェクト１４２との位置関係に応じて、ボールオブジェクト１４２を動かす。具体的には、患者アバター１４１の下肢位置がボールオブジェクト１４２の位置に所定値以上近接すれば、ボールオブジェクト１４２が、患者アバター１４１に当たって跳ね返る。患者アバター１４１の加速度およびその方向に応じて、ボールオブジェクト１４２の動きを変えてもよい。このように情報処理を行なうことにより、透析患者１３０は、仮想空間内でリフティング動作を疑似体験することができる。さらに、ステップＳ２０６において、リフティング回数をカウントし、表示する。これにより、運動へのモチベーションを維持または向上させる。このようにステップＳ２０４〜Ｓ２０６を繰り返してリフティングの疑似体験をさせる。一方、ステップＳ２０７において、ヘッドマウントディスプレイ１０２が大きく（例えば７０度）右または左に向きを変えたことを検知すると、ステップＳ２０８に進み、アプリケーションを中断させ、カメラ１２１で撮像した外部の画像をヘッドマウントディスプレイ１０２に表示させる。これにより、針が抜けていないか否かや、透析装置１１０や看護師（不図示）の状態や状況を即座に把握することが可能となる。
【００２６】
さらにアプリケーション中断中に、ステップＳ２０７において、所定時間、正面（下肢方向）を見ると、仮想空間表示（Ｓ２０３）に戻る。ここでは正面としたが本発明はこれに限定されない。例えば、手や、斜め下を見た場合に、仮想空間表示に戻る処理の流れでもよい。
【００２７】
図３は、透析患者運動支援システム１００でボールパスの疑似体験を行なう処理の流れを示すフローチャートである。まず、ステップＳ３０１において、アプリケーションを実行すると、次にステップＳ３０２において、同じアプリケーションに参加する通信相手を決定する。さらにステップＳ３０３において、仮想空間１４０内に参加者全員の患者アバター１４１を生成し、ヘッドマウントディスプレイ１０２に表示させる。
【００２８】
さらに、ステップＳ３０４においては、仮想空間１４０内に、ボールオブジェクト１４２を生成し、ヘッドマウントディスプレイ１０２に表示させる。
【００２９】
次に、ステップＳ３０５において、参加者全員に装着された複数のセンサ１０１から受け取った動作検出信号（例えば加速度信号）に応じて、参加者全員の患者アバター１４１を仮想空間１４０内で動かす。
【００３０】
次にステップＳ３０６において、患者アバター１４１とボールオブジェクト１４２との位置関係に応じて、ボールオブジェクト１４２を動かす。具体的には、患者アバター１４１の位置がボールオブジェクト１４２の位置に所定値以上近接すれば、ボールオブジェクト１４２が、患者アバター１４１に当たって跳ね返る。患者アバター１４１の加速度およびその方向に応じて、ボールオブジェクト１４２の動きを変えてもよい。このように情報処理を行なうことにより、透析患者１３０は、仮想空間内で他の透析患者とパス交換動作を疑似体験することができる。さらに、ステップＳ３０７において、パス交換回数をカウントし、表示することにより、運動へのモチベーションを維持または向上させる。ここで、患者のペアごとのパス交換回数を比較することにより、順位付けを行ってもよい。
【００３１】
以上の構成によれば、透析治療中の透析患者のように、手が動かせない患者であっても、安全確保しつつ仮想空間に没入させて、ストレスなく適度な運動を行なわせることが可能になる。
【００３２】
［第２実施形態］
次に本発明の第２実施形態に係る透析患者運動支援システム２００について、図４を用いて説明する。図４は、本実施形態に係る透析患者運動支援システム２００の構成を説明するための図である。本実施形態に係る透析患者運動支援システム２００は、上記第１実施形態と比べると、患者アバターがボールオブジェクトを蹴るのではなく、仮想空間内を移動する点で異なる。その他の構成および動作は、第２実施形態と同様であるため、同じ構成および動作については同じ符号を付してその詳しい説明を省略する。
【００３３】
透析患者運動支援システム２００は、動作検出部としてのセンサ１０１とヘッドマウントディスプレイ１０２と表示制御部２０３とを含むシステムである。
【００３４】
センサ１０１は、透析装置１１０を用いた人工透析治療中の透析患者１３０の下肢の動作を検出する。チェアベッド２２０上において、坐位の姿勢を取った状態で透析治療にあたるが、透析患者１３０の下肢１３１に取り付けられたセンサ１０１により、下肢１３１の動き（例えば加速度）を検出する。
【００３５】
ヘッドマウントディスプレイ１０２は、透析装置１１０を用いた人工透析治療中の透析患者１３０の頭部１３２に装着され、透析患者１３０に対して、仮想空間２４０を表わす３Ｄ風景映像を提供する。
【００３６】
表示制御部２０３は、センサ１０１が検出した透析患者１３０の下肢１３１の動作に関する信号（例えば加速度信号）を受取る。そして、表示制御部２０３は、透析患者１３０の下肢１３１の動作に応じて、患者アバター（不図示）を仮想空間内で移動させ、患者アバターの視界をヘッドマウントディスプレイ１０２に表示させる。
【００３７】
つまり、表示制御部２０３は、検出した透析患者１３０の下肢１３１の動作に応じた速度で、仮想空間２４０内において患者アバターを歩行させ、歩行中の患者アバターから見た仮想的な景色を、ヘッドマウントディスプレイ１０２に表示させる。
【００３８】
また、透析患者運動支援システム１００は、他の前記透析患者運動支援システムとの通信を行う通信部１０４を備えている。表示制御部２０３は、通信部１０４およびネットワーク１５０を介して、他の透析患者との間で仮想空間２４０を共有し、仮想空間２４０内を、他の透析患者と共に歩くことを実現する。
【００３９】
これにより、透析患者に仮想空間内での登山、街歩き、スキー、海底散歩などを疑似体験させることができる。
【００４０】
表示制御部２０３は、検出した透析患者１３０の下肢１３１の動作に応じて移動する仮想的乗り物オブジェクトを仮想空間内に生成し、仮想的乗り物オブジェクトに乗っている患者アバターから見た景色を、ヘッドマウントディスプレイに表示させてもよい。
【００４１】
表示制御部２０３は、例えば、仮想空間内でのボート漕ぎを疑似体験させるため、足こぎボートのアバターを仮想空間内に生成してもよい。表示制御部２０３は、センサ１０１が検出した透析患者１３０の下肢１３１の動作に関する信号に応じて、足こぎボートのアバターを仮想空間内で移動させ、ヘッドマウントディスプレイ１０２には、足こぎボートに乗る患者アバターからの視界を表示してもよい。
【００４２】
歩いた距離に応じて、山頂の画像を表示したり、「おめでとうございます」とのメッセージを表示したりすることにより、透析患者の運動に対するモチベーションを維持、向上させることが可能となる。
【００４３】
なお、ジャイロセンサをベルトにして腰につけ、その信号を表示制御部２０３に送ることにより、体の傾きに応じて、仮想空間内の進行方向を変更してもよい。また、針が抜けることを防止するため、患者１３０の身体の向きに応じて、アプリケーションを終了させ、カメラ１２１で撮像した外部の画像をヘッドマウントディスプレイ１０２に表示させてもよい。これにより、針が抜けていないか否かや、透析装置１１０や看護師（不図示）の状態や状況を即座に把握することが可能となる。
【００４４】
表示制御部２０３は、既知の方法でバイタルデータ（心拍、体温、血圧など）を取得して、そのバイタルデータに合わせて、ヘッドマウントディスプレイの表示を変えてもよい。例えば、心拍が上がれば、仮想空間内での移動速度を変えて、患者１３０の運動強度を下げさせてもよい。
【００４５】
以上の構成によれば、第１実施形態と同様、透析治療中の透析患者のように、手が動かせない患者であっても、安全確保しつつ仮想空間に没入させて、ストレスなく適度な運動を行なわせることが可能になる。
【００４６】
［他の実施形態］
以上、実施形態を参照して本願発明を説明したが、本願発明を適用できる患者は、人工透析治療中の患者に限定されない。例えば、点滴静脈注射中など、仰臥姿勢にある患者であれば、如何なる患者にも適用できる。
【００４７】
本願発明は上記実施形態に限定されるものではない。本願発明の構成や詳細には、本願発明の技術的範囲で当業者が理解し得る様々な変更をすることができる。また、それぞれの実施形態に含まれる別々の特徴を如何様に組み合わせたシステムまたは装置も、本発明の技術的範囲に含まれる。
【００４８】
また、本発明は、複数の機器から構成されるシステムに適用されてもよいし、単体の装置に適用されてもよい。さらに、本発明は、実施形態の機能を実現する情報処理プログラムが、システムあるいは装置に供給され、内蔵されたプロセッサによって実行される場合にも適用可能である。本発明の機能をコンピュータで実現するために、コンピュータにインストールされるプログラム、あるいはそのプログラムを格納した媒体、そのプログラムをダウンロードさせるサーバも、プログラムを実行するプロセッサも本発明の技術的範囲に含まれる。特に、少なくとも、上述した実施形態に含まれる処理ステップをコンピュータに実行させるプログラムを格納した非一時的コンピュータ可読媒体（non-transitory computer readable medium）は本発明の技術的範囲に含まれる。
【要約】
【課題】人工透析治療中の患者の運動を安全に支援すること。
【解決手段】透析患者の透析治療中の運動を支援する透析患者運動支援システムであって、人工透析治療中の透析患者の下肢の動作を検出する動作検出部と、透析患者の頭部に装着するヘッドマウントディスプレイと、検出した透析患者の下肢の動作に応じて動作する患者アバターを仮想空間内に生成し、ヘッドマウントディスプレイに表示させる表示制御部と、を備えたことを特徴とする。
【選択図】  図１【図１】
0006855561.tif 000002
【図２】
0006855561.tif 000003
【図３】
0006855561.tif 000004
【図４】
0006855561.tif 000005